(57)【要約】  【課題】  自動運転のための作業段取り時間を節約することが望ましい。  【解決手段】  圃場における少なくとも基準経路に関する基準経路情報を格納するサーバ１１０と、トラクタ２００の位置を測定する外付ＧＰＳ３００ａおよび内蔵ＧＰＳ３００ｂと、サーバ１１０に格納された基準経路情報、および測定された位置の情報に基づいて、圃場におけるトラクタ２００の自動運転を制御する、トラクタ２００に搭載される自動運転制御部２２０と、を備えた自動運転システムである。【選択図】  図１
2019049896.tif 000002
【特許請求の範囲】
【請求項１】
圃場における少なくとも基準経路に関する基準経路情報を格納するサーバと、
作業車両の位置を測定する測位装置と、
前記サーバに格納された前記基準経路情報、および測定された前記位置の情報に基づいて、前記圃場における前記作業車両の自動運転を制御する、前記作業車両に搭載される制御装置と、
を備え、
前記自動運転が制御される作業車両の台数は、単数または複数であることを特徴とする自動運転システム。
【請求項２】
前記サーバは、前記基準経路情報を格納し、
前記制御装置は、前記サーバに格納された前記基準経路情報に基づいて、前記圃場における前記作業車両の自動運転経路に関する自動運転経路情報を生成し、前記自動運転経路情報に基づいて、前記自動運転を制御することを特徴とする請求項１に記載の自動運転システム。
【請求項３】
前記サーバは、前記基準経路情報を含む、前記圃場における自動運転経路に関する自動運転経路情報を格納し、
前記制御装置は、前記サーバに格納された前記自動運転経路情報に基づいて、前記自動運転を制御することを特徴とする請求項１に記載の自動運転システム。
【請求項４】
前記測位装置は、前記作業車両、および前記作業車両に載置される携帯端末の少なくとも一方に搭載されることを特徴とする請求項１から３の何れかに記載の自動運転システム。
【請求項５】
前記基準経路情報は、前記圃場における手動運転を利用してあらかじめ生成され、前記サーバに格納された情報であることを特徴とする請求項１から４の何れかに記載の自動運転システム。
【請求項６】
前記サーバは、前記圃場における作業に関する作業情報を格納し、
前記制御装置は、前記サーバに格納された前記作業情報に基づいて、前記自動運転を制御することを特徴とする請求項１から５の何れかに記載の自動運転システム。
【請求項７】
前記サーバへの情報書込み、および前記サーバからの情報読出しを実行する携帯端末を備えたことを特徴とする請求項１から６の何れかに記載の自動運転システム。
【請求項８】
前記サーバに格納された前記基準経路情報は、ユーザの指示に基づいて、前記制御装置へ読込まれ、
前記制御装置は、前記基準経路情報の読込みが終了すると、前記基準経路の経路始点へ向かう自動運転を制御することを特徴とする請求項１から７の何れかに記載の自動運転システム。
【請求項９】
前記経路始点へ向かう前記自動運転は、車両向きが前記基準経路の向きと一致するように前記基準経路の中途点へ前記作業車両を移動させた後、前記中途点から前記経路始点へ向かって前記作業車両を後進させることにより完了させられることを特徴とする請求項８に記載の自動運転システム。
【発明の詳細な説明】
【技術分野】
【０００１】
本発明は、トラクタなどのような作業車両のための自動運転システムに関する。
【背景技術】
【０００２】
作業車両の位置を測定する測位装置と、圃場における少なくとも基準経路に関する基準経路情報、および測定された位置の情報に基づいて、基準経路に基づいて算定された圃場における目標走行経路に沿った作業車両の自動運転を制御する、作業車両に搭載される制御装置と、を備えた自動運転システムが、知られている（たとえば、特許文献１参照）。
【先行技術文献】
【特許文献】
【０００３】
【特許文献１】特開２０１６−０２１８９０号公報
【発明の概要】
【発明が解決しようとする課題】
【０００４】
ところで、本発明者は、自動運転のための作業段取り時間を節約することが望ましいと考えている。
【０００５】
たとえば、本発明者は、サーバに格納された情報は、インターネット接続によりダウンロード可能であり、設定情報の読込みによる作業の再現に繰返し利用されることが望ましいと考えている。
【０００６】
本発明は、上述された従来の課題を考慮し、自動運転のための作業段取り時間を節約することができる自動運転システムを提供することを目的とする。
【課題を解決するための手段】
【０００７】
第１の本発明は、圃場における少なくとも基準経路に関する基準経路情報を格納するサーバと、
作業車両の位置を測定する測位装置と、
前記サーバに格納された前記基準経路情報、および測定された前記位置の情報に基づいて、前記圃場における前記作業車両の自動運転を制御する、前記作業車両に搭載される制御装置と、
を備え、
前記自動運転が制御される作業車両の台数は、単数または複数であることを特徴とする自動運転システムである。
【０００８】
これにより、サーバに格納された基準経路情報に基づいて、圃場における作業車両の自動運転を制御するので、自動運転のための作業段取り時間を節約することができる。
【０００９】
第２の本発明は、前記サーバは、前記基準経路情報を格納し、
前記制御装置は、前記サーバに格納された前記基準経路情報に基づいて、前記圃場における前記作業車両の自動運転経路に関する自動運転経路情報を生成し、前記自動運転経路情報に基づいて、前記自動運転を制御することを特徴とする第１の本発明の自動運転システムである。
【００１０】
これにより、制御装置は、サーバに格納された基準経路情報に基づいて、圃場における作業車両の自動運転経路に関する自動運転経路情報を生成するので、作業車両の側の条件に基づいて自動運転を制御することができる。
【００１１】
第３の本発明は、前記サーバは、前記基準経路情報を含む、前記圃場における自動運転経路に関する自動運転経路情報を格納し、
前記制御装置は、前記サーバに格納された前記自動運転経路情報に基づいて、前記自動運転を制御することを特徴とする第１の本発明の自動運転システムである。
【００１２】
これにより、制御装置は、サーバに格納された自動運転経路情報に基づいて、自動運転を制御するので、作業車両の側の大きな情報処理負担なく自動運転を制御することができる。
【００１３】
第４の本発明は、前記測位装置は、前記作業車両、および前記作業車両に載置される携帯端末の少なくとも一方に搭載されることを特徴とする第１から第３の何れかの本発明の自動運転システムである。
【００１４】
これにより、測位装置は、作業車両、および作業車両に載置される携帯端末の少なくとも一方に搭載されるので、作業車両の位置の測定に関して高い利便性および融通性を有する構成を実現することができる。
【００１５】
第５の本発明は、前記基準経路情報は、前記圃場における手動運転を利用してあらかじめ生成され、前記サーバに格納された情報であることを特徴とする第１から第４の何れかの本発明の自動運転システムである。
【００１６】
これにより、基準経路情報は、圃場における手動運転を利用してあらかじめ生成されるので、基準経路情報の生成に関して高い利便性を有する構成を実現することができる。
【００１７】
第６の本発明は、前記サーバは、前記圃場における作業に関する作業情報を格納し、
前記制御装置は、前記サーバに格納された前記作業情報に基づいて、前記自動運転を制御することを特徴とする第１から第５の何れかの本発明の自動運転システムである。
【００１８】
これにより、サーバに格納された作業情報に基づいて、自動運転を制御するので、自動運転の制御に関して高い利便性を有する構成を実現することができる。
【００１９】
第７の本発明は、前記サーバへの情報書込み、および前記サーバからの情報読出しを実行する携帯端末を備えたことを特徴とする第１から第６の何れかの本発明の自動運転システムである。
【００２０】
これにより、サーバへの情報書込み、およびサーバからの情報読出しを実行する携帯端末を備えるので、サーバへの情報書込み、およびサーバからの情報読出しに関して高い利便性を有する構成を実現することができる。
【００２１】
第８の本発明は、前記サーバに格納された前記基準経路情報は、ユーザの指示に基づいて、前記制御装置へ読込まれ、
前記制御装置は、前記基準経路情報の読込みが終了すると、前記基準経路の経路始点へ向かう自動運転を制御することを特徴とする第１から第７の何れかの本発明の自動運転システムである。
【００２２】
これにより、基準経路情報の読込みが終了すると、基準経路の経路始点へ向かう自動運転を制御するので、基準経路の経路始点へ向かう自動運転の制御に関して高い利便性を有する構成を実現することができる。
【００２３】
第９の本発明は、前記経路始点へ向かう前記自動運転は、車両向きが前記基準経路の向きと一致するように前記基準経路の中途点へ前記作業車両を移動させた後、前記中途点から前記経路始点へ向かって前記作業車両を後進させることにより完了させられることを特徴とする第８の本発明の自動運転システムである。
【００２４】
これにより、経路始点へ向かう自動運転は、車両向きが基準経路の向きと一致するように基準経路の中途点へ作業車両を移動させた後、中途点から経路始点へ向かって作業車両を後進させることにより完了させられるので、基準経路の経路始点へ向かう自動運転の制御に関して高い正確性を有する構成を実現することができる。
【発明の効果】
【００２５】
本発明により、自動運転のための作業段取り時間を節約することが可能な自動運転システムを提供することができる。
【図面の簡単な説明】
【００２６】
【図１】本発明における実施の形態の自動運転システムのブロック図
【図２】本発明における実施の形態の自動運転システムの模式的な左側面図
【図３】本発明における実施の形態の自動運転システムの模式的な部分平面図（その一）
【図４】本発明における実施の形態のトラクタの部分斜視図
【図５】本発明における実施の形態の携帯端末の画面の説明図（その一）
【図６】本発明における実施の形態の携帯端末の画面の説明図（その二）
【図７】本発明における実施の形態の携帯端末の画面の説明図（その三）
【図８】本発明における実施の形態の携帯端末の画面の説明図（その四）
【図９】本発明における実施の形態の自動運転システムの模式的な部分平面図（その二）
【図１０】本発明における実施の形態の自動運転システムの模式的な平面図
【図１１】本発明における実施の形態の自動運転システムの模式的な部分平面図（その三）
【発明を実施するための形態】
【００２７】
以下、図面を参照しながら、本発明における実施の形態について詳細に説明する。
【００２８】
はじめに、図１〜３を参照しながら、本実施の形態の自動運転システムの構成および動作について具体的に説明する。
【００２９】
ここに、図１は本発明における実施の形態の自動運転システムのブロック図であり、図２は本発明における実施の形態の自動運転システムの模式的な左側面図であり、図３は本発明における実施の形態の自動運転システムの模式的な部分平面図（その一）である。
【００３０】
本実施の形態の自動運転システムは、圃場における少なくとも基準経路に関する基準経路情報を格納するサーバ１１０と、トラクタ２００の位置を測定する外付ＧＰＳ（Ｇｌｏｂａｌ  Ｐｏｓｉｔｉｏｎｉｎｇ  Ｓｙｓｔｅｍ）３００ａおよび内蔵ＧＰＳ３００ｂと、サーバ１１０に格納された基準経路情報、および測定された位置の情報に基づいて、圃場におけるトラクタ２００の自動運転を制御する、トラクタ２００に搭載される自動運転制御部２２０と、を備えた自動運転システムである。
【００３１】
図３においては、実線で示された基準経路が、車両幅Ｗとともに、経路始点Ａと経路終点Ｂとの間の直線状のＡ−Ｂ線により設定されており、トラクタ２００の自動運転が矢印に沿って制御される自動運転経路は点線で示されている。
【００３２】
自動運転が制御されるトラクタ２００の台数は、単数または複数である。
【００３３】
すなわち、自動運転が制御されるトラクタ２００の台数は、一であってもよいし、二以上であってもよい。
【００３４】
自動運転が制御されるトラクタ２００の台数が単数である具体例は、たとえば、以下の具体例Ｘである。具体例Ｘにおいては、ユーザが、トラクタ２００を運転して耕耘作業を実行し、一年後に同じトラクタ２００を運転して耕耘作業を実行する。
【００３５】
自動運転が制御されるトラクタ２００の台数が複数である具体例は、たとえば、以下の具体例ＹおよびＺである。具体例Ｙにおいては、第１のユーザが自身のトラクタ２００を運転して耕耘作業を実行し、別の第２のユーザが一年後に自身のトラクタ２００を運転して耕耘作業を実行する。具体例Ｚにおいては、ユーザが、先行する第１のトラクタ２００をリモートコントロールで運転して草刈り作業を実行しながら、同時に別の第２のトラクタ２００を運転して耕耘作業を実行する。
【００３６】
経路始点Ａおよび経路終点Ｂ、ならびに基準経路の方向および向きなどは、さまざまである。
【００３７】
たとえば、本発明における作業車両の一例である、農薬散布を行うための乗用管理機の作業幅が耕耘作業機を装着するためのトラクタ２００の作業幅より大きい場合においては、乗用管理機の基準経路に関する圃場端からの距離はトラクタ２００の基準経路に関する圃場端からの距離より大きい。本発明における作業車両の一例である、田植機のホイールベースがトラクタ２００のホイールベースより小さい場合においては、田植機の基準経路に関する圃場端からの距離はトラクタ２００の基準経路に関する圃場端からの距離より小さい。このような圃場端からの距離は、たとえば、経路始点Ａと圃場端との間の距離、または経路終点Ｂと圃場端との間の距離により与えられる。
【００３８】
したがって、一つの圃場について、さまざまな基準経路情報が基準経路情報サーバ１１０に格納されていてもよい。
【００３９】
つぎに、図１を主として参照しながら、本実施の形態の自動運転システムの構成および動作についてより具体的に説明する。
【００４０】
本実施の形態の自動運転システムの構成および動作について説明しながら、本発明に関連する発明における自動運転方法の一例についても説明する。
【００４１】
トラクタ２００は、ロボットトラクタなどである。
【００４２】
近距離通信制御部２１１は、携帯端末４００との通信のためのコントローラである。
【００４３】
本発明における実施の形態のトラクタ２００の部分斜視図である図４においては、トラクタ２００のキャビン５０００に載置された携帯端末４００が示されている。前輪５１００の後方のキャビン５０００には、メータパネル２５１がダッシュボードカバー５２００、ステアリングホイール５３００および座席５４００とともに配置される。ステアリングホイール５３００の周りには、前後進レバー５５１０およびアクセルレバー５５２０が配置される。座席５４００の前方には、クラッチペダル５６１０、左ブレーキペダル５６２１および右ブレーキペダル５６２２、ならびにアクセルペダル５６３０が配置される。
【００４４】
ネットワーク通信制御部２１２は、サーバ１１０との通信のためのコントローラである。
【００４５】
エンジン制御部２１３は、エンジン回転センサ１１１０からの信号を入手し、エンジンを制御する、トラクタ２００のエンジンの制御のためのコントローラである。
【００４６】
作業機昇降制御部２１４は、作業機昇降センサ２１１０からの信号を入手し、メインシリンダ２２１３を操作するためのメイン上昇ソレノイド２２１１およびメイン下降ソレノイド２２１２を制御する、トラクタ２００に接続された耕耘機などのような作業機２０１０１の制御のためのコントローラである。
【００４７】
走行制御部２１５は、方位センサ３１１０、切れ角センサ３１２０、ステアリングホイールセンサ３１３０、車速センサ３１４０、ブレーキセンサ３１５０、および副変速レバー操作位置センサ３１６０からの信号を入手し、ステアリングシリンダ３２１３を操作するための左ステアリングソレノイド３２１１および右ステアリングソレノイド３２１２、油圧ＰＴＯ（Ｐｏｗｅｒ  Ｔａｋｅ  Ｏｆｆ）クラッチ３２２２を操作するためのＰＴＯクラッチソレノイド３２２１、左ブレーキ３２３２を操作するための左ブレーキソレノイド３２３１、右ブレーキ３２４２を操作するための右ブレーキソレノイド３２４１、前後進クラッチ３２５２を操作するための前後進ソレノイド３２５１、ならびに主変速クラッチ３２６２を操作するための主変速ソレノイド３２６１を制御する、トラクタ２００の一般的な制御のためのコントローラである。
【００４８】
自動運転制御部２２０は、上述されたさまざまなコントローラなどを統括し、ロボットトラクタ機能を実現するための中心的な役割を果たす、最上位のコントローラである。
【００４９】
トラクタ２００の内部における通信接続には、ＣＡＮ（Ｃｏｎｔｒｏｌｌｅｒ  Ａｒｅａ  Ｎｅｔｗｏｒｋ）などが利用される。
【００５０】
リモコン受信機２２２を経由して実行される、リモコン２２１と自動運転制御部２２０との間の通信接続には、４２９ＭＨｚ帯の電波による無線通信などが利用される。
【００５１】
クラウド１００および公衆無線ＬＡＮ（Ｌｏｃａｌ  Ａｒｅａ  Ｎｅｔｗｏｒｋ）を経由して実行される、サーバ１１０とネットワーク通信制御部２１２との間の通信接続には、Ｗｉ−Ｆｉ規格に基づいた近距離無線通信などが利用される。
【００５２】
携帯端末４００と近距離通信制御部２１１との間の通信接続には、赤外線通信、またはＢｌｕｅｔｏｏｔｈ（登録商標）規格に基づいた近距離無線通信などが利用される。
【００５３】
クラウド１００および公衆無線ＬＡＮを経由して実行される、サーバ１１０と携帯端末４００との間の通信接続には、Ｗｉ−Ｆｉ規格に基づいた近距離無線通信などが利用される。
【００５４】
携帯端末４００および管理ＰＣ（Ｐｅｒｓｏｎａｌ  Ｃｏｍｐｕｔｅｒ）には、機械情報管理サービスに対応したアプリケーションソフトウェアがインストールされている。
【００５５】
サーバ１１０は、圃場における少なくとも基準経路に関する基準経路情報、および圃場における作業に関する作業情報を格納する農業ＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）クラウドコンピュータなどである。
【００５６】
基準経路情報は、圃場における手動運転を利用してあらかじめ生成され、サーバ１１０に格納された情報である。
【００５７】
基準経路情報は、携帯端末４００および管理ＰＣなどの機械情報管理サービスに対応した圃場マップ操作機能を利用してあらかじめ生成され、サーバ１１０に格納されてもよい。
【００５８】
播種、施肥および薬剤散布などに関する作業情報の生成には、携帯端末４００および管理ＰＣなどが利用される。
【００５９】
サーバ１１０に格納された情報は、インターネット接続によりダウンロード可能であり、設定情報の読込みによる作業の再現に繰返し利用される。したがって、トラクタ２００にのみならず、トラクタ２００と異なる他のトラクタ２００にも、サーバ１１０に格納された設定情報が読込まれるので、自動運転のための作業段取り時間を節約することができる。
【００６０】
携帯端末４００は、サーバ１１０への情報書込み、およびサーバ１１０からの情報読出しを実行するタブレット端末スマートデバイスなどである。
【００６１】
サーバ１１０に格納された情報は、携帯端末４００を経由して自動運転制御部２２０へ読込まれてもよいし、携帯端末４００を経由せず自動運転制御部２２０へ読込まれてもよい。ＳＩＭ（Ｓｕｂｓｃｒｉｂｅｒ  Ｉｄｅｎｔｉｔｙ  Ｍｏｄｕｌｅ）契約が有効でなく、携帯端末４００のインターネット接続が利用可能でない場合においても、自動運転制御部２２０のインターネット接続が利用可能であれば、ネットワーク通信制御部２１２を利用して自動運転制御部２２０へ読込まれる情報は近距離通信制御部２１１を利用して携帯端末４００へ転送可能である。
【００６２】
同様に、圃場における手動運転を利用してあらかじめ生成された基準経路情報などは、携帯端末４００を経由してサーバ１１０へ格納されてもよいし、携帯端末４００を経由せずサーバ１１０へ格納されてもよい。
【００６３】
そして、トラクタ２００のキャビン５０００に載置される携帯端末４００と異なる他の携帯端末４００が、サーバ１１０への情報書込み、およびサーバ１１０からの情報読出しを実行してもよい。
【００６４】
トラクタ２００のメータパネル２５１より表示性能および操作性能においてしばしば優れている、トラクタ２００のキャビン５０００に載置される携帯端末４００には、ロボットトラクタ操作機能などがスマートデバイス拡張機能として実装される。
【００６５】
本発明における実施の形態の携帯端末４００の画面の説明図（その一）である図５においては、「トラクタ１」についての画面（その一）が示されている。「リモコン」タッチボタンおよび「圃場検索」タッチボタンを表示させるための「拡張機能」タッチボタンが、利用可能である。
【００６６】
本発明における実施の形態の携帯端末４００の画面の説明図（その二）である図６においては、「トラクタ１」についての画面（その二）が示されている。上述された「リモコン」タッチボタンおよび「圃場検索」タッチボタンが、利用可能である。
【００６７】
上述された「リモコン」タッチボタンにより、「リモコン」機能が、利用可能である。より具体的には、リモコン２２１の電池消耗の場合においても自動運転制御部２２０の制御を命令することができるように、携帯端末４００はリモコン２２１の役割を果たす。
【００６８】
本発明における実施の形態の携帯端末４００の画面の説明図（その三）である図７においては、「トラクタ１」についての画面（その三）が示されている。「停止」タッチボタン、「ホーン」タッチボタン、「前進」タッチボタン、「後進」タッチボタン、「作業機上げ」タッチボタンおよび「作業機下げ」タッチボタンが、利用可能である。このように、携帯端末４００は、リモコン２２１の役割を果たす。
【００６９】
上述された「圃場検索」タッチボタンにより、「圃場検索」機能が、利用可能である。より具体的には、内蔵ＧＰＳ３００ｂのＧＰＳ情報に紐付けられている、サーバ１１０に格納された周辺圃場の作業情報は、携帯端末４００において表示されたロボットトラクタ操作専用画面の上のフリックおよびスワイプをともなうＧＵＩ（Ｇｒａｐｈｉｃａｌ  Ｕｓｅｒ  Ｉｎｔｅｒｆａｃｅ）オペレーションによりインターネット接続を利用して検索可能である。
【００７０】
本発明における実施の形態の携帯端末４００の画面の説明図（その四）である図８においては、「トラクタ１」および「圃場Ｆ１」についての画面（その四）が示されている。「作業情報」を含む「圃場情報」が詳細に表示されており、「前回設定で開始」タッチボタンおよび「新規設定」タッチボタンが利用可能である。このように、周辺圃場の作業情報は、インターネット接続を利用して検索可能である。
【００７１】
本発明における実施の形態の自動運転システムの模式的な部分平面図（その二）である図９においては、複数の圃場Ｆ１、Ｆ２、Ｆ３、Ｆ４、Ｆ５およびＦ６が圃場の代表点Ｐ１、Ｐ２、Ｐ３、Ｐ４、Ｐ５およびＰ６とともに示されている。圃場Ｆ１、Ｆ２、Ｆ４およびＦ５は、現在地からの距離が上述された圃場の代表点に関して所定値Ｖ０より小さい周辺圃場である。
【００７２】
本発明における実施の形態の自動運転システムの模式的な平面図である図１０においては、複数の圃場Ｆ１、Ｆ２、Ｆ３、Ｆ４、Ｆ５およびＦ６が示されている。圃場Ｆ１、Ｆ２、Ｆ４およびＦ５は、周辺圃場である。携帯端末４００の画面においては、「周辺圃場」に関する「圃場情報」を検索するためのタッチボタンが利用可能である。サーバ１１０においては、「代表点座標」、「面積」、「Ａ点座標」および「Ｂ点座標」に関する情報、および「作業情報」を含む、複数の圃場Ｆ１、Ｆ２、Ｆ３…に関する「圃場情報」が格納されている。「作業情報」は、「主変速」、「副変速」、「車速」、「エンジン回転数」および「作業幅」に関する情報である。
【００７３】
外付ＧＰＳ３００ａおよび内蔵ＧＰＳ３００ｂは、トラクタ２００の位置を測定するＧＮＳＳ（Ｇｌｏｂａｌ  Ｎａｖｉｇａｔｉｏｎ  Ｓａｔｅｌｌｉｔｅ  Ｓｙｓｔｅｍ）機構などである。
【００７４】
外付ＧＰＳ３００ａは、トラクタ２００に搭載される。内蔵ＧＰＳ３００ｂは、トラクタ２００に載置される携帯端末４００に搭載される。
【００７５】
自動運転制御部２２０は、サーバ１１０に格納された基準経路情報、および測定された位置の情報、ならびにサーバ１１０に格納された作業情報に基づいて、圃場におけるトラクタ２００の自動運転を制御する、トラクタ２００に搭載されるロボットコントローラなどである。
【００７６】
本実施の形態においては、サーバ１１０は、基準経路情報を格納し、自動運転制御部２２０は、サーバ１１０に格納された基準経路情報に基づいて、圃場におけるトラクタ２００の自動運転経路に関する自動運転経路情報を生成し、自動運転経路情報に基づいて、自動運転を制御する。
【００７７】
自動運転制御部２２０は自動運転経路情報を自ら生成するので、隣接運転経路間の距離は適切にカスタマイズされ、車両幅に応じた作業幅などに関するトラクタ２００の側の条件に基づいて自動運転を制御することができる。
【００７８】
基準経路の経路始点Ａの緯度および経度、ならびに基準経路の経路終点Ｂの緯度および経度の情報は、Ａ−Ｂ線の情報としてサーバ１１０に格納される。このような直線状のＡ−Ｂ線の情報は、圃場における自動ステアリング基準線としての基準経路を与える。したがって、前回作業時のＡ−Ｂ線の情報は、今回作業時の隣接運転経路間の距離が前回作業時の隣接運転経路間の距離と異なる場合においても、今回作業時のＡ−Ｂ線の情報として利用可能である。
【００７９】
なお、サーバ１１０は、基準経路情報を含む、圃場における自動運転経路に関する自動運転経路情報を格納し、自動運転制御部２２０は、サーバ１１０に格納された自動運転経路情報に基づいて、自動運転を制御する、変形例の実施の形態も、考えられる。このような変形例の実施の形態においては、自動運転制御部２２０は自動運転経路情報を自ら生成する必要がないので、トラクタ２００の側の大きな情報処理負担なく自動運転を制御することができる。
【００８０】
サーバ１１０に格納された基準経路情報は、ユーザの指示に基づいて、自動運転制御部２２０へ読込まれ、自動運転制御部２２０は、基準経路情報の読込みが終了すると、基準経路の経路始点Ａへ向かう自動運転を制御する。
【００８１】
経路始点Ａへ向かう自動運転は、車両向きが基準経路の向きと一致するように基準経路の中途点へトラクタ２００を移動させた後、中途点から経路始点Ａへ向かってトラクタ２００を後進させることにより完了させられる。
【００８２】
本発明における実施の形態の自動運転システムの模式的な部分平面図（その三）である図１１においては、トラクタ２００の経路始点Ａへ向かう自動運転が矢印に沿って制御される自動運転経路は太い実線で示されている。厳密には、太い実線で示された自動運転経路は外付ＧＰＳ３００ａまたは内蔵ＧＰＳ３００ｂの軌跡であり、車両向きの基準経路の向きとの一致は、たとえば、このような軌跡の基準経路への収束を利用して判定される。トラクタ２００は、基準経路に沿ってしばらく前進させられながら、経路始点Ａと経路終点Ｂとの間の点である中途点に至るので、車両向きはかなり正確に基準経路の向きと一致する。
【００８３】
前回作業時のＡ−Ｂ線の情報が携帯端末４００のＧＵＩオペレーションにより設定された場合においては、トラクタ２００は基準経路の経路始点Ａへ直行せず近くの中途点へ向かって行くので、予期せぬ向きにおけるトラクタ２００の突然な移動が抑制され、基準経路の経路始点Ａへ向かう正確な自動運転を安全に制御することができる。
【００８４】
そして、トラクタ２００が使用されるトラクタとして携帯端末４００のＧＵＩオペレーションにより選択された時点で、アナログ情報およびオンオフ切替えのためのデジタル情報などのような、播種、施肥および薬剤散布などに関する設定情報としての作業情報は、近距離通信制御部２１１を利用して自動運転制御部２２０へ自動的に読込まれ、携帯端末４００において表示される。作付け作物に基づいた圃場の作業情報が面倒なユーザの指示なくダウンロード可能であるので、ユーザフレンドリーな構成が実現される。
【００８５】
なお、本発明に関連する発明におけるプログラムは、上述された本発明に関連する発明における自動運転方法の全部または一部のステップ（または、工程、動作もしくは作用など）の動作をコンピュータに実行させるためのプログラムであり、コンピュータと協働して動作するプログラムである。
【００８６】
また、本発明に関連する発明における記録媒体は、上述された本発明に関連する発明における自動運転方法の全部または一部のステップ（または、工程、動作もしくは作用など）の全部または一部の動作をコンピュータに実行させるためのプログラムを記録する記録媒体であり、コンピュータにより読取り可能であり、読取られたプログラムがコンピュータと協働して利用される記録媒体である。
【００８７】
なお、上述された「一部のステップ（または、工程、動作もしくは作用など）」は、それらの複数のステップの内の、一つまたは幾つかのステップを意味する。
【００８８】
また、上述された「ステップ（または、工程、動作もしくは作用など）の動作」は、ステップの全部または一部の動作を意味する。
【００８９】
また、本発明に関連する発明におけるプログラムは、インターネットなどの伝送媒体、または光、電波または音波などの伝送媒体の中を伝送し、コンピュータにより読取られ、コンピュータと協働して動作してもよい。
【００９０】
また、記録媒体としては、ＲＯＭ（Ｒｅａｄ  Ｏｎｌｙ  Ｍｅｍｏｒｙ）などが含まれる。
【００９１】
また、上述された本発明におけるコンピュータは、ＣＰＵ（Ｃｅｎｔｒａｌ  Ｐｒｏｃｅｓｓｉｎｇ  Ｕｎｉｔ）などの純然たるハードウェアに限らず、ファームウェア、ＯＳ（Ｏｐｅｒａｔｉｎｇ  Ｓｙｓｔｅｍ）、そしてさらに周辺機器を含んでもよい。
【００９２】
なお、上述されたように、本発明における構成は、ソフトウェア的に実現されてもよいし、ハードウェア的に実現されてもよい。
【００９３】
サーバ１１０は、本発明におけるサーバの一例である。トラクタ２００は、本発明における作業車両の一例である。外付ＧＰＳ３００ａは本発明における測位装置の一例であり、内蔵ＧＰＳ３００ｂも本発明における測位装置の一例である。自動運転制御部２２０は、本発明における制御装置の一例である。携帯端末４００は、本発明における携帯端末の一例である。
【産業上の利用可能性】
【００９４】
本発明における自動運転システムは、自動運転のための作業段取り時間を節約することができ、トラクタなどのような作業車両のための自動運転システムに利用する目的に有用である。
【符号の説明】
【００９５】
１００  クラウド
１１０  サーバ
２００  トラクタ
２０１  作業機
２１１  近距離通信制御部
２１２  ネットワーク通信制御部
２１３  エンジン制御部
２１４  作業機昇降制御部
２１５  走行制御部
２２０  自動運転制御部
２２１  リモコン
２２２  リモコン受信機
２５１  メータパネル
３００ａ  外付ＧＰＳ
３００ｂ  内蔵ＧＰＳ
４００  携帯端末
１１１０  エンジン回転センサ
２１１０  作業機昇降センサ
２２１１  メイン上昇ソレノイド
２２１２  メイン下降ソレノイド
２２１３  メインシリンダ
３１１０  方位センサ
３１２０  切れ角センサ
３１３０  ステアリングホイールセンサ
３１４０  車速センサ
３１５０  ブレーキセンサ
３１６０  副変速レバー操作位置センサ
３２１１  左ステアリングソレノイド
３２１２  右ステアリングソレノイド
３２１３  ステアリングシリンダ
３２２１  ＰＴＯクラッチソレノイド
３２２２  油圧ＰＴＯクラッチ
３２３１  左ブレーキソレノイド
３２３２  左ブレーキ
３２４１  右ブレーキソレノイド
３２４２  右ブレーキ
３２５１  前後進ソレノイド
３２５２  前後進クラッチ
３２６１  主変速ソレノイド
３２６２  主変速クラッチ
５０００  キャビン
５１００  前輪
５２００  ダッシュボードカバー
５３００  ステアリングホイール
５４００  座席
５５１０  前後進レバー
５５２０  アクセルレバー
５６１０  クラッチペダル
５６２１  左ブレーキペダル
５６２２  右ブレーキペダル
５６３０  アクセルペダル
【図１】
2019049896.tif 000003
【図２】
2019049896.tif 000004
【図３】
2019049896.tif 000005
【図４】
2019049896.tif 000006
【図５】
2019049896.tif 000007
【図６】
2019049896.tif 000008
【図７】
2019049896.tif 000009
【図８】
2019049896.tif 000010
【図９】
2019049896.tif 000011
【図１０】
2019049896.tif 000012
【図１１】
2019049896.tif 000013